(57)【要約】【課題】支線により支柱を好適に支える。【解決手段】建物１０の屋根１２にはアンテナ２１が設置されており、そのアンテナ２１の支柱２３は屋根面１２ａの上に載せられている。屋根１２においては、屋根面１２ａの周縁部に沿ってパラペット１５が延びており、支柱２３を支える支線２５が支持部材３１を介してパラペット１５に固定されている。パラペット１５は、パラペット本体３５と笠木３６とを有しており、笠木３６は、パラペット本体３５の上端部を上方から覆っている。支持部材３１は、笠木３６とパラペット本体３５との間に入り込んだ状態で、パラペット１５に固定されている。支持部材３１は、パラペット本体３５の上端面に重ねられた状態でそのパラペット本体３５に固定された固定部と、支線２５が接続された接続孔とを有している。【選択図】      図１
2015137467.tif 000002
【特許請求の範囲】
【請求項１】
建物の屋外部において上方に向けて起立した起立部と、
建物設備としての支柱を支える支線と、
前記起立部に固定され、前記支線を支持する支持部材と、
を備え、
前記起立部は、当該起立部の外周面を形成する起立部本体と、前記起立部本体の少なくとも上端面を覆う笠木とを有しており、
前記支持部材は、
前記起立部本体と前記笠木との間に入り込んだ状態で設けられ、前記起立部本体に固定された固定部を有していることを特徴とする建物の支線支持構造。
【請求項２】
前記支持部材は、
前記支線が接続された接続部と、
前記接続部が設けられ、前記固定部に対する前記接続部の位置を保持する保持部と、
を有し、
前記保持部は、前記支線及び当該保持部が前記笠木に接触しない状態で、前記接続部の位置を保持するものであることを特徴とする請求項１に記載の建物の支線支持構造。
【請求項３】
前記笠木は、
前記起立部本体の上端面に沿って延びている上面部と、
前記上面部から下方に向けて延び、前記起立部本体の側面に対向している側面部と、
を有し、
前記保持部は、
前記固定部から、前記起立部本体と前記笠木の前記側面部との間を通じて、該側面部より低い位置まで延びている下方延出部と、
前記下方延出部から、前記側面部を挟んで前記起立部本体とは反対側に向けて延びている側方延出部と、
を有し、
前記側方延出部は、前記起立部本体からの離間距離が前記接続部の方が前記側面部より大きくなる位置にて、該接続部を保持するものであることを特徴とする請求項２に記載の建物の支線支持構造。
【請求項４】
前記保持部は、前記側面部よりも前記起立部本体から遠い位置において、前記側方延出部から上方に向けて延びている上方延出部を有しており、
前記上方延出部は、前記接続部を前記側面部の下端よりも高い位置にて保持するものであることを特徴とする請求項３に記載の建物の支線支持構造。
【請求項５】
前記側方延出部は、前記起立部本体の前記支柱側に設けられ、前記下方延出部から前記支柱に向けて延びていることを特徴とする請求項３又は４に記載の建物の支線支持構造。
【請求項６】
前記支持部材においては、板材が折り曲げ加工されることで、前記固定部、前記下方延出部及び前記側方延出部が形成され、且つ全体として弾性変形が可能になっていることを特徴とする請求項３乃至５のいずれか１項に記載の建物の支線支持構造。
【請求項７】
前記支持部材は、
前記固定部と前記接続部との間に設けられ、前記支線の引っ張りにより生じる引っ張り応力を吸収する応力吸収部を有していることを特徴とする請求項２乃至６のいずれか１項に記載の建物の支線支持構造。
【請求項８】
前記固定部は、前記起立部本体の上端面に重ねられた状態で該起立部本体に固定されていることを特徴とする請求項１乃至７のいずれか１項に記載の建物の支線支持構造。
【請求項９】
前記起立部は、前記起立部本体の上端面に重ねられた状態で該起立部本体に固定され、前記笠木を支持する笠木ホルダを有しており、防水性を有する防水面から起立し、該防水面に沿って延びた横長形状とされており、
前記支持部材及び前記笠木ホルダは、前記起立部の長手方向に沿って横並びに配置されていることを特徴とする請求項８に記載の建物の支線支持構造。
【請求項１０】
前記固定部は、前記起立部本体の側面に重ねられた状態で該側面に対して固定されていることを特徴とする請求項１乃至９のいずれか１項に記載の建物の支線支持構造。
【発明の詳細な説明】
【技術分野】
【０００１】
本発明は、建物の支線支持構造に関する。
【背景技術】
【０００２】
住宅等の建物において、アンテナなどに含まれた支柱が設置されている場合、その支柱が支線により支えられていることがある。例えば、傾斜屋根の上にアンテナ支柱が設けられ、そのアンテナ支柱が支線で四方に引っ張って固定され、その支線が建物の外壁に対して取り付けられた構成がある。この構成では、外壁に対する支線の固定位置が軒下とされているため、支線の固定部分が雨水では濡れにくくなっている。
【先行技術文献】
【特許文献】
【０００３】
【特許文献１】特開２００１−３１７２３０号公報
【発明の概要】
【発明が解決しようとする課題】
【０００４】
しかしながら、支線の支持位置を軒下にしただけでは、強風などにより雨水が軒下に吹き込んだ場合などに支線の固定部分に水がかかる可能性が高く、支線固定用のビス等が打ち込まれた貫通孔を通じて水が建物内に浸入することが懸念される。
【０００５】
また、アンテナが屋上やバルコニーに設置された構成では、支線がパラペットや腰壁などに固定されていることが想定されるが、この構成では、支線の固定位置を軒下に配置できるとは限らず、支線の固定部分が雨水等で濡れる可能性が更に高くなってしまう。
【０００６】
本発明は、上記事情に鑑みてなされたものであり、支線により支柱を好適に支えることを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００８】
第１の発明の建物の支線支持構造は、建物の屋外部において上方に向けて起立した起立部（パラペット１５）と、建物設備としての支柱（支柱２３）を支える支線（支線２５）と、前記起立部に固定され、前記支線を支持する支持部材（支持部材３１）と、を備え、前記起立部は、当該起立部の外周面を形成する起立部本体（パラペット本体３５）と、前記起立部本体の少なくとも上端面を覆う笠木（笠木３６）とを有しており、前記支持部材は、前記起立部本体と前記笠木との間に入り込んだ状態で設けられ、前記起立部本体に固定された固定部（固定部６１）を有していることを特徴とする。
【０００９】
第１の発明によれば、支線が起立部に対して固定されているため、支柱に対する支線の角度を、支線による支柱の支持強度を確保する上で適正な角度に設定することができる。しかも、起立部に対する支線の固定部分が笠木により上方から覆われているため、その固定部分を通じて起立部の内部に水が浸入することを抑制できる。さらに、支線が支持部材を介して起立部本体に固定されているため、例えば支線が笠木に固定された構成に比べて、支線の支持強度を高めることができる。また、この場合、支線が笠木に接触しない状態を支持部材により保持することが可能であるため、支線や笠木が破損したり変形したりすることを抑制できる。以上により、支線により支柱を好適に支えることができる。
【００１０】
なお、起立部は、防水性を有する防水面から上方に向けて起立していることが好ましい。ここで、防水面としては、屋根面や屋上面、バルコニーの床面等が挙げられ、起立部としては、パラペットや腰壁等が挙げられる。
【００１１】
第２の発明では、第１の発明において、前記支持部材は、前記支線が接続された接続部（接続孔６７）と、前記接続部が設けられ、前記固定部に対する前記接続部の位置を保持する保持部（下方延出部６２、側方延出部６３、上方延出部６４）と、を有し、前記保持部は、前記支線及び当該保持部が前記笠木に接触しない状態で、前記接続部の位置を保持するものである。
【００１２】
第２の発明によれば、支持部材においては、笠木に対する支線や保持部の接触がその保持部により規制されているため、支持部材が起立部本体と笠木との間に入り込んだ構成において、強風時などの支線や支柱の揺れに伴って、支線や支持部材が笠木に繰り返し接触するということを抑制できる。このため、支線や笠木が破損したり変形したりすることを抑制できる。
【００１３】
第３の発明では、第２の発明において、前記笠木は、前記起立部本体の上端面に沿って延びている上面部（上面部３６ａ）と、前記上面部から下方に向けて延び、前記起立部本体の側面に対向している側面部（内側側面部３６ｃ）と、を有し、前記保持部は、前記固定部から、前記起立部本体と前記笠木の前記側面部との間を通じて、該側面部より低い位置まで延びている下方延出部（下方延出部６２）と、前記下方延出部から、前記側面部を挟んで前記起立部本体とは反対側に向けて延びている側方延出部（側方延出部６３）と、を有し、前記側方延出部は、前記起立部本体からの離間距離が前記接続部の方が前記側面部より大きくなる位置にて、該接続部を保持するものである。
【００１４】
第３の発明によれば、下方延出部及び側方延出部により、笠木に対する支線や保持部の接触を規制できる構成を実現できる。しかも、下方延出部や側方延出部が弾性変形することが可能であれば、支線から支持部材に加えられる荷重が支線や支柱の揺れ等により増減したとしても、起立部本体と固定部との固定部分に加えられる荷重が過剰に大きくなることを抑制できる。これにより、起立部に対する支持部材の固定状態や、支持部材による支線の支持状態を適正に保つことができる。
【００１５】
第４の発明では、第３の発明において、前記保持部は、前記側面部よりも前記起立部本体から遠い位置において、前記側方延出部から上方に向けて延びている上方延出部（上方延出部６４）を有しており、前記上方延出部は、前記接続部を前記側面部の下端よりも高い位置にて保持するものである。
【００１６】
第４の発明によれば、支持部材に対する支線の接続位置を、笠木の側方位置や笠木よりも高い位置に配置することが可能になるため、支線が笠木に接触することを確実に回避できる。しかも、支持部材においては、弾性変形することが可能な部位として、下方延出部や側方延出部に上方延出部が加えられるため、起立部本体と固定部との固定部分に加えられる荷重が過剰に大きくなることをより確実に抑制できる。
【００１７】
第５の発明では、第３又は第４の発明において、前記側方延出部は、前記起立部本体の前記支柱側に設けられ、前記下方延出部から前記支柱に向けて延びている。
【００１８】
第５の発明によれば、起立部本体の支柱側に側方延出部が設けられているため、側方延出部を笠木の側面部から下方にある程度の距離だけ離間した位置に配置しておくことで、支線からの荷重により側方延出部が変形して笠木の側面部に接触するということを抑制できる。
【００１９】
第６の発明では、第３乃至第５のいずれかの発明において、前記支持部材においては、板材が折り曲げ加工されることで、前記固定部、前記下方延出部及び前記側方延出部が形成され、且つ全体として弾性変形が可能になっている。
【００２０】
第６の発明によれば、支持部材が弾性変形可能になっているため、起立部本体と固定部との固定部分に加えられる荷重が過大になりにくい構成を実現できる。
【００２１】
第７の発明では、第２乃至第６のいずれかの発明において、前記支持部材は、前記固定部と前記接続部との間に設けられ、前記支線の引っ張りにより生じる引っ張り応力を吸収する応力吸収部（易変形部７１，７２）を有している。
【００２２】
第７の発明によれば、接続部が支線により支柱側に引っ張られたとしても、応力吸収部により引っ張り応力が吸収されるため、その引っ張り応力により固定部が変形するということを抑制できる。ここで、起立部本体の外周面に防水シート等が貼り付けられるなどの防水処理が施され、固定部が防水シートの上に重ねられた状態で起立部本体に固定されている構成では、固定部が変形することで防水シートが切れたり破れたりすることが懸念される。これに対して、本発明によれば、固定部の変形が抑制されるため、起立部本体に設けられた防水シートの防水性を適正に保つことができる。
【００２３】
第８の発明では、第１乃至第７のいずれかの発明において、前記固定部は、前記起立部本体の上端面に重ねられた状態で該起立部本体に固定されている。
【００２４】
第８の発明によれば、固定部と起立部本体とが面同士で接しているため、支持部材を起立部本体に対して安定した状態で取り付けることができる。
【００２５】
第９の発明では、第８の発明において、前記起立部は、前記起立部本体の上端面に重ねられた状態で該起立部本体に固定され、前記笠木を支持する笠木ホルダ（笠木ホルダ５１）を有しており、前記起立部は、防水性を有する防水面から起立し、該防水面に沿って延びた横長形状とされており、前記支持部材及び前記笠木ホルダは、前記起立部の長手方向に沿って横並びに配置されている。
【００２６】
第９の発明によれば、笠木ホルダを介して笠木が起立部本体に固定されているため、笠木を起立部本体から離間した位置において保持することができる。これにより、支持部材を笠木に接触しない状態で起立部本体に固定することが可能になる。しかも、笠木ホルダと支持部材とが横並びに配置されているため、笠木ホルダ及び支持部材を起立部本体に取り付ける際の作業手順に制限が生じない。この場合、起立部本体に笠木ホルダ及び支持部材のいずれを先に取り付けてもよいため、取り付け順が制限されている構成に比べて、支持部材及び笠木ホルダを起立部本体に取り付ける際の作業負担を低減できる。
【００２７】
第１０の発明では、第１乃至第９のいずれかの発明において、前記固定部は、前記起立部本体の側面に重ねられた状態で該側面に対して固定されている。
【００２８】
第１０の発明によれば、支持部材が起立部本体の側面に対して固定されているため、例えば支持部材が起立部本体の上面に固定された構成に比べて、支持部材の高さ位置を起立部本体に対して変更することが容易になる。
【図面の簡単な説明】
【００２９】
【図１】屋根周辺の構成を示す図
【図２】図１（ａ）のＢ−Ｂ線断面図
【図３】笠木ホルダの斜視図
【図４】図１（ａ）のＣ−Ｃ線断面図
【図５】支持部材の斜視図
【図６】パラペットの内部構造を示す図
【図７】別の支持部材の斜視図
【図８】別のパラペットの縦断面図
【図９】別の支持部材の構成を示す図
【発明を実施するための形態】
【００３０】
以下に、本発明を具体化した一実施形態について図面を参照しつつ説明する。本実施形態では、本発明の支線支持構造を建物の屋根において具体化している。図１は、屋根１２周辺の構成を示す図である。なお、図１においては、（ａ）に屋根１２の平面図を示し、（ｂ）に（ａ）のＡ−Ａ線断面図を示し、（ｃ）にアンテナ２１の斜視図を示す。
【００３１】
図１（ａ），（ｂ）に示すように、建物１０は、建物本体の上に設けられた屋根１２を有している。屋根１２は、陸屋根（フラットルーフ）とされており、その屋根面１２ａは所定の水勾配を有している。屋根１２には、雨水等を排出する排水口が設けられており、屋根面の水勾配は排水口に向けて下方に傾斜している。
【００３２】
なお、屋根１２は、建物躯体により支持された屋根下地と、その屋根下地の上に設けられた屋根面材とを有している。屋根下地は、屋根小梁等の上に設置された野地板と、その野地板の上に設置された断熱材とを有しており、屋根面材は、断熱材の上に重ねられている。屋根面材は、耐水皮膜が施されたシート材や鋼材等の防水部材であり、その上面が屋根面１２ａを形成している。この場合、屋根面１２ａは、防水性を有する防水面に相当する。また、屋根１２は、人の出入りが可能な屋上を構成していてもよい。
【００３３】
屋根１２は、その屋根１２の周縁部に沿って延びているパラペット１５を有している。パラペット１５は、屋根面１２ａから上方に向けて起立した低い手摺壁であり、起立部に相当する。屋根１２は、平面視で長方形状に形成され、パラペット１５は、屋根１２の各辺に沿って延びており、建物本体の外壁と上下に連続している。この場合、外壁が屋根１２よりも上方に向けて突出した状態になっており、その突出部分がパラペット１５になっているということもできる。屋根面１２ａは、パラペット１５により囲まれた領域に配置された状態になっている。
【００３４】
屋根１２の上には、建物設備としてのアンテナ２１が設置されている。図１（ｃ）に示すように、アンテナ２１は、テレビ等の電波の送受信を行うアンテナ部２２と、アンテナ部２２を支持する支柱２３とを有している。アンテナ部２２は、建物１０内に設置されたテレビ等に電気配線を通じて接続されている。支柱２３は、屋根面１２ａの上に載せられた屋根馬２３ａと、屋根馬２３ａから上方に向けて延びている支柱本体２３ｂとを有しており、支柱本体２３ｂにおける上端寄りの部分にアンテナ２１が固定されている。屋根馬２３ａは、脚部を複数（例えば４つ）有しており、支柱本体２３ｂを下方から支持する架台に相当する。屋根馬２３ａは、屋根面１２ａに敷かれた養生板２４の上に載せられており、ビス等による屋根１２への固定はなされていない。
【００３５】
図１（ａ），（ｂ）の説明に戻り、パラペット１５には、アンテナ２１を支える支線２５が接続されている。支線２５は、ワイヤ等の線状部材により形成されており、一端がアンテナ２１の支柱２３に接続され、他端がパラペット１５に対して固定されている。支線２５は、支柱２３の支柱本体２３ｂに接続されており、その接続部分は、アンテナ部２２の下方に配置されている。支線２５は、支柱２３から斜め下方に向けて延びていり、支線２５と支柱２３との間の角度Θは所定角度（例えば６０度）とされている。角度Θは、支線２５の下端と支柱２３の下端との間の角度になっている。ここで、屋根馬２３ａが屋根１２に対して固定されていないため、支線２５の張力が斜め下方に向いていることで、支柱２３が屋根面１２ａから離間しない状態で位置保持されている。
【００３６】
支線２５は、支柱２３に複数接続されている。本実施形態では、４本の支線２５が支柱２３から四方に延びており、それぞれパラペット１５に固定されている。支線２５は、パラペット１５において屋根１２の一対の長辺に沿って延びる部分に２本ずつ固定されており、隣り合う支線２５同士の角度はほぼ９０度とされている。この場合、平面視で、支線２５はパラペット１５に直交しておらず、パラペット１５から斜めに延びている。
【００３７】
支線２５は、支持部材３１を介してパラペット１５に固定されている。ここでは、支持部材３１に関する構成について、図２〜図６を参照しつつ説明する。図２は図１（ａ）のＢ−Ｂ線断面図、図３は笠木ホルダ５１の斜視図、図４は図１（ａ）のＣ−Ｃ線断面図、図５は支持部材３１の斜視図、図６はパラペット１５の内部構造を示す図である。なお、図６においては、パラペット１５の平面図において笠木３６を仮想線で図示している。
【００３８】
図２、図４に示すように、パラペット１５は、そのパラペット１５の側面を形成するパラペット本体３５と、パラペット本体３５の上に設けられた笠木３６とを有している。パラペット本体３５及び笠木３６は、いずれもパラペット１５の幅方向に沿って延びている。なお、パラペット１５においては、その側面が外周面に相当する。
【００３９】
パラペット本体３５は、建物躯体に対して固定された本体下地４２と、本体下地４２を挟んで設けられた一対の外装材４３，４４とを有している。本体下地４２は、複数のフレーム材を有する下地フレーム４５と、その下地フレーム４５の屋根内周側に設けられた下地板４６とを有している。なお、パラペット本体３５が起立部本体に相当する。
【００４０】
下地フレーム４５は、その下地フレーム４５の上端を形成する横フレーム材４５ａを有している。横フレーム材４５ａは、断面コ字状の軽量溝形鋼により形成されており、その溝部を下方に向けてパラペット１５の幅方向に沿って延びている。この場合、横フレーム材４５ａの上面（ウェブの外側面）が下地フレーム４５の上端面を形成している。
【００４１】
下地板４６は、合板等により形成されており、下地フレーム４５の側面にビス等により固定されている。下地板４６の上端面は、下地フレーム４５の上端面とほぼ同じ高さに配置されている。
【００４２】
外装材４３，４４のうち、屋根１２の外周側に配置された外側外装材４３は、サイディングボード等の外壁面材であり、下地フレーム４５の外周側面にビス等により固定されている。外装材４３，４４のうち、屋根１２の内周側に配置された内側外装材４４は、鋼材に耐水皮膜が付与された防水板であり、下地板４６に重ねられた状態でその下地板４６に接着剤等により接合されている。外装材４３，４４の上端面は、下地フレーム４５の上端面とほぼ同じ高さに配置されている。
【００４３】
パラペット本体３５は、下地フレーム４５、下地板４６、外装材４３，４４の各上端面を上方から覆う防水シート４７を有している。防水シート４７は、耐水性を有する材料により形成され、柔軟性を有している。パラペット１５の厚み方向において、防水シート４７の一端側は外側外装材４３の仕上面に重ねられ、他端側は内側外装材４４の仕上面に重ねられている。この場合、防水シート４７の上面がパラペット本体３５の上端面を形成していることになる。
【００４４】
笠木３６は、合成樹脂材料や金属材料などにより縦断面略コ字状に形成されており、下方に向けて開放された溝部を有している。笠木３６は、その笠木３６の上面を形成する上面部３６ａと、側面を形成する側面部３６ｂ，３６ｃとを有している。上面部３６ａは、パラペット本体３５から上方に離間した位置に配置されており、パラペット本体３５の上端面に対向している。側面部３６ｂ，３６ｃは、上面部３６ａから下方に向けて延びており、側面部３６ｂ，３６ｃの各下端部は、パラペット本体３５の上端面より低い位置に配置されている。この場合、側面部３６ｂ，３６ｃは、パラペット本体３５の側面に向かい合っている。側面部３６ｂ，３６ｃの離間距離は、パラペット本体３５の厚み寸法より大きくされており、側面部３６ｂ，３６ｃは、パラペット１５の厚み方向においてパラペット本体３５から離間した位置に配置されている。
【００４５】
笠木３６の上面（上面部３６ａ）は、屋根外周側の端部が上端となり、屋根内周側の端部が下端となる向きで傾斜している。この場合、側面部３６ｂ，３６ｃのうち、屋根外周側に配置された外側側面部３６ｂの上端部は、屋根内周側に配置された内側側面部３６ｃの上端部より高い位置に配置されている。このため、笠木３６の上面に雨水等の水が付着した場合には、その水が笠木３６の上面に沿って屋根内周側に流れ落ちることになる。
【００４６】
笠木３６は、笠木ホルダ５１によりパラペット本体３５に対して固定されている。図２、図３に示すように、笠木ホルダ５１は、パラペット本体３５の上端面に重ねられた重ね部５２と、笠木３６の上面部３６ａを下方から支える支え部５３と、笠木３６に引っ掛かっている引っ掛け部５４とを有している。笠木ホルダ５１は、合成樹脂材料や金属材料などにより板状に形成されており、重ね部５２、支え部５３及び引っ掛け部５４はそれぞれ板部とされている。
【００４７】
重ね部５２は、防水シート４７を挟んで横フレーム材４５ａの上面に重ねられており、ビス等の固定具５５が重ね部５２及び防水シート４７を貫通して横フレーム材４５ａのウェブに打ち込まれていることで、その横フレーム材４５ａに固定されている。重ね部５２には、固定具５５が挿通された固定孔５２ａが形成されている。固定孔５２ａは、パラペット１５の厚み方向に沿って延びた長孔とされており、パラペット１５の幅方向に沿って複数並べられている。
【００４８】
支え部５３は、重ね部５２から上方に向けて延びており、笠木３６の上面部３６ａの下面に当接した状態で笠木３６を支持している。支え部５３は、パラペット１５の厚み方向に沿って一対設けられており、一方の支え部５３は重ね部５２の一端から延びており、他方の支え部５３は重ね部５２の他方から延びている。この場合、一対の支え部５３により、笠木３６の屋根外周側及び屋根内周側のそれぞれが支持されていることになる。
【００４９】
引っ掛け部５４は、支え部５３と同様に、パラペット１５の厚み方向に沿って一対設けられており、各引っ掛け部５４は、それぞれ別の支え部５３から延びている。一対の引っ掛け部５４のうち、屋根外周側に向けて延びた引っ掛け部５４は、笠木３６の外側側面部３６ｂに引っ掛かっており、屋根内周側に向けて延びた引っ掛け部５４は、外側側面部３６ｂに引っ掛かっている。笠木３６は、側面部３６ｂ，３６ｃから溝部内側に向けてそれぞれ延びた受け部５６を有しており、パラペット本体３５から離間した位置に配置されているにもかかわらず、各引っ掛け部５４がそれぞれ受け部５６に引っ掛かっていることで、そのパラペット本体３５に対して位置保持されている。
【００５０】
受け部５６は、引っ掛け部５４の下端面に引っ掛かっている。この場合、笠木３６が笠木ホルダ５１に対して上方から装着された構成において、笠木３６の受け部５６が笠木ホルダ５１の引っ掛け部５４に下方から引っ掛かっているため、笠木３６が笠木ホルダ５１から上方に離間することが規制されている。つまり、笠木３６がパラペット本体３５から上方に離間することが規制されている。
【００５１】
笠木ホルダ５１においては、引っ掛け部５４が弾性変形可能になっている。このため、笠木ホルダ５１をパラペット本体３５に固定した後、笠木３６を笠木ホルダ５１に装着する場合に、引っ掛け部５４がパラペット本体３５に近付く側に弾性変形することで、笠木３６の受け部５６が笠木ホルダ５１の引っ掛け部５４の下側に移動しやすくなる。
【００５２】
笠木３６が笠木ホルダ５１を介してパラペット本体３５に固定されている構成では、パラペット本体３５の厚み寸法が許容範囲内の大きさ（笠木ホルダ５１の一対の引っ掛け部５４の間にパラペット本体３５が入り込むことが可能な大きさ）であれば、パラペット本体３５の厚み寸法に関係なく笠木３６をパラペット本体３５に装着することが可能になっている。
【００５３】
笠木３６は、その側面部３６ｂ，３６ｃとパラペット本体３５との間の隙間への視線を遮る目隠し部５７を有している。目隠し部５７は、側面部３６ｂ，３６ｃのそれぞれに設けられ、各目隠し部５７は、パラペット本体３５の側面に向けて延びている。目隠し部５７は、受け部５６の下方に配置されており、引っ掛け部５４が受け部５６に引っ掛かっている部分が、笠木３６の下方からでは目視しにくくなっている。
【００５４】
図４に示すように、支持部材３１は、パラペット本体３５と笠木３６との間に入り込んだ状態でパラペット本体３５に取り付けられている。支持部材３１は、パラペット本体３５に固定された固定部６１と、固定部６１から下方に向けて延びている下方延出部６２と、下方延出部６２から側方に向けて延びている側方延出部６３と、側方延出部６３から上方に向けて延びている上方延出部６４とを有している。
【００５５】
図４、図５に示すように、支持部材３１は、金属板等の板材が板厚み方向に折り曲げられることで形成されており、固定部６１、延出部６２〜６４のそれぞれが弾性変形可能な板部になっている。固定部６１は、その板面がパラペット本体３５の上端面（防水シート４７の上面）に重ねられた状態で設けられ、ビス等の固定具６５が固定部６１及び防水シート４７を貫通して横フレーム材４５ａのウェブに打ち込まれていることで、その横フレーム材４５ａに固定されている。固定部６１には、固定具６５が挿通された固定孔６１ａが複数形成されている。固定部６１は、外側外装材４３の上端面には重ねられておらず、固定部６１の自由端は横フレーム材４５ａの上方位置に配置されている。
【００５６】
下方延出部６２は、固定部６１の屋根内周側の端部からパラペット本体３５の側面に沿って延びており、その側面に重ねられている。この場合、下方延出部６２は、防水シート４７や内側外装材４４に重ねられているが、これら防水シート４７や内側外装材４４に接合はされていない。下方延出部６２は、笠木３６の内側側面部３６ｃの下端よりも低い位置まで延びている。
【００５７】
側方延出部６３は、下方延出部６２の下端からパラペット本体３５とは反対側に向けて水平方向に延びている。この場合、下方延出部６２と側方延出部６３とは直角に交差している。下方延出部６２からの側方延出部６３の延出寸法は、笠木３６の内側側面部３６ｃとパラペット本体３５との離間距離よりも大きくされており、側方延出部６３は、内側側面部３６ｃから下方に離間した位置に配置されている。この場合、側方延出部６３の先端部の方が、笠木３６の内側側面部３６ｃよりもパラペット本体３５から遠い位置に配置されており、側方延出部６３が内側側面部３６ｃをパラペット１５の厚み方向に跨いだ状態になっている。
【００５８】
上方延出部６４は、側方延出部６３の屋根内周側の端部から笠木３６の内側側面部３６ｃの外側面に沿って上方に向けて鉛直方向に延びている。この場合、側方延出部６３と上方延出部６４とは直角に交差している。上方延出部６４は、内側側面部３６ｃを挟んでパラペット本体３５とは反対側に配置されており、内側側面部３６ｃからは屋根内周側に離間している。上方延出部６４は、内側側面部３６ｃの上端と下端との間の高さ位置まで延びており、上方延出部６４の上端部は内側側面部３６ｃに横並びの位置に配置されている。
【００５９】
支持部材３１は、支線２５が接続された接続部としての接続孔６７を有している。接続孔６７は、上方延出部６４に設けられており、笠木３６の内側側面部３６ｃに横並びになる高さ位置に配置されている。接続孔６７は、上方延出部６４を板厚み方向に貫通しており、支線２５は、接続孔６７に通されていることで上方延出部６４に固定されている。接続孔６７は、上方延出部６４の幅方向に沿って延びた長孔とされている。
【００６０】
支持部材３１は、パラペット１５の上端面や側面に重ねて設けられている一方で、笠木３６には重ねられておらず接触もしていない。このため、例えば図４に仮想線で示すように、支持部材３１が弾性変形することで、下方延出部６２の下端がパラペット本体３５の側面から離間し、側方延出部６３の屋根内周側の端部が上方に持ち上げられ、上方延出部６４の上端部が笠木３６の内側側面部３６ｃから遠ざかったとしても、支持部材３１が笠木３６に接触しないようになっている。ここで、支持部材３１が弾性変形可能になっているため、支線２５から支持部材３１に加えられる張力が、支線２５や支柱２３の揺れなどにより増減したとしても、接続孔６７が支柱２３に近付く側に移動する態様で支持部材３１が変形することにより、支線２５から固定部６１や固定具５５に加えられる荷重が過剰に大きくなることが抑制される。
【００６１】
図６に示すように、笠木ホルダ５１と支持部材３１とはパラペット１５の幅方向に沿って横並びに配置されている。ここで、笠木ホルダ５１は、パラペット１５の幅方向に沿って所定間隔で複数設けられており、支持部材３１は、隣り合う笠木ホルダ５１の間に配置されていることになる。このため、笠木ホルダ５１と支持部材３１とがパラペット１５の高さ方向や厚み方向に重ねて配置された構成とは異なり、笠木ホルダ５１及び支持部材３１のいずれを先にパラペット本体３５に取り付けた場合でも、もう片方をパラペット本体３５に取り付けることが可能になっている。
【００６２】
以上、詳述した本実施形態の構成によれば、以下の優れた効果が得られる。
【００６３】
支線２５がパラペット１５の上端部に対して固定されているため、支柱２３に対する支線２５の角度Θを、支線２５による支柱２３の支持強度を確保する上で適正な角度に設定することができる。しかも、パラペット本体３５に対する支持部材３１の固定部分が笠木３６により上方から覆われているため、固定具６５がパラペット本体３５を貫通した部分からパラペット本体３５の内部に水が浸入することを抑制できる。さらに、支線２５が笠木３６に接触しない状態を支持部材３１により保持することが可能であるため、支線２５や笠木３６が破損したり変形したりすることを抑制できる。以上により、支線２５により支柱２３を好適に支えることができる。
【００６４】
支持部材３１においては接続孔６７が笠木３６の外側位置において保持されているため、強風時などの支線２５や支柱２３の揺れに伴って、支線２５や支持部材３１が笠木３６に繰り返し接触するということを抑制できる。
【００６５】
支持部材３１においては、下方延出部６２や側方延出部６３が弾性変形することが可能であるため、支線２５から支持部材３１に加えられる荷重が支線２５や支柱２３の揺れ等により増減したとしても、固定部６１を固定した固定具６５に加えられる荷重が過剰に大きくなることを抑制できる。これにより、パラペット１５に対する支持部材３１の固定状態や、支持部材３１による支線２５の支持状態を適正に保つことができる。
【００６６】
支持部材３１においては、上方延出部６４に形成された接続孔６７が笠木３６の側方に配置されているため、支線２５が笠木３６に接触することを確実に回避できる。しかも、弾性変形可能な部分には、下方延出部６２及び側方延出部６３に加えて上方延出部６４も含まれているため、支線２５から固定具６５に加えられる荷重が過剰に大きくなることをより確実に抑制できる。
【００６７】
固定部６１がパラペット本体３５の上端面に重ねられていることで、固定部６１とパラペット本体３５とが面同士で接した状態になっているため、支持部材３１をパラペット本体３５に対して安定した状態で固定することができる。
【００６８】
［他の実施形態］
本発明は上記実施形態の記載内容に限定されず、例えば次のように実施されてもよい。
【００６９】
（１）上記実施形態では、支持部材３１において、側方延出部６３が水平方向に延びていたが、側方延出部６３は、水平方向でなくてもパラペット本体３５から離間する向きで延びていればよい。例えば、図７（ａ）に示すように、支持部材３１において、側方延出部６３が下方延出部６２の下端部から斜め上方に向けて延びた構成とする。この構成では、下方延出部６２と側方延出部６３との間の角度が鋭角（例えば７５度）とされ、側方延出部６３と上方延出部６４との間の角度が鈍角（例えば１０５度）とされている。
【００７０】
（２）上記実施形態では、支持部材３１において、上方延出部６４が鉛直方向に延びていたが、上方延出部６４は、鉛直方向でなくても側方延出部６３から上方に向けて延びていればよい。例えば、上方延出部６４が笠木３６の内側側面部３６ｃから遠ざかる向きで斜め上方に向けて延びていてもよく、内側側面部３６ｃに近付く向きで斜め上方に向けて延びていてもよい。
【００７１】
また、上方延出部６４の上端部は、笠木３６の内側側面部３６ｃに横並びの高さ位置に配置されずに、内側側面部３６ｃよりも高い位置や低い位置に配置されていてもよい。つまり、上方延出部６４が、内側側面部３６ｃの下端部の高さ位置に達しない程度の延出寸法や、内側側面部３６ｃの上端部の高さ位置を越えるほどの延出寸法を有していてもよい。
【００７２】
（３）上記実施形態では、支持部材３１において、接続孔６７が上方延出部６４に設けられていたが、接続孔６７は、側方延出部６３や下方延出部６２に設けられていてもよい。
【００７３】
例えば、図７（ｂ）に示すように、接続孔６７が側方延出部６３に設けられた構成とする。この構成では、支持部材３１が上方延出部６４を有しておらず、側方延出部６３において、パラペット本体３５からの離間距離が笠木３６の内側側面部３６ｃよりも大きい部分に接続孔６７が配置されている。この構成でも、支柱２３に対する支線２５の接続部分と接続孔６７とを結んだ仮想直線よりも高い位置に内側側面部３６ｃが配置されるように、接続孔６７の位置を設定することで、接続孔６７に接続された支線２５が笠木３６の内側側面部３６ｃに接触しない構成を実現することができる。なお、支持部材３１が上方延出部６４を有していない構成では、下方延出部６２及び側方延出部６３が接続孔６７の位置を保持する保持部を構成することになる。
【００７４】
また、上方延出部６４に加えて側方延出部６３が設けられていない構成では、接続孔６７が下方延出部６２に設けられていることが好ましい。例えば、下方延出部６２において、笠木３６の内側側面部３６ｃよりも低い高さ位置にある部分に接続孔６７が配置されている構成とする。この構成でも、支柱２３に対する支線２５の接続部分と接続孔６７とを結んだ仮想直線よりも高い位置に内側側面部３６ｃが配置されるように、接続孔６７の位置を設定することで、接続孔６７に接続された支線２５が内側側面部３６ｃに接触しない構成を実現することができる。なお、支持部材３１が上方延出部６４及び側方延出部６３を有していない構成では、下方延出部６２が保持部に相当することになる。
【００７５】
さらに、支持部材３１が上方延出部６４から支柱２３側などに向けて延びる補助延出部を有していれば、その補助延出部に接続孔６７が設けられていてもよい。この場合、上記実施形態と同様に、延出部６２〜６４が保持部を構成することになる。
【００７６】
（４）支持部材３１は、支線２５の引っ張りにより生じる引っ張り応力を吸収する応力吸収部を有していてもよい。応力吸収部は、支線２５により接続孔６７が支柱２３側（パラペット本体３５から離れる側）に引っ張られた場合に、固定部６１に比べて変形しやすい易変形部であればよい。易変形部は、支持部材３１において固定部６１ではない部分に設けられていればよい。つまり、下方延出部６２、側方延出部６３及び上方延出部６４の少なくともいずれかに設けられていればよい。
【００７７】
例えば、図８（ａ）に示すように、易変形部７１が固定部６１と下方延出部６２との間に設けられた構成とする。この構成では、易変形部７１が折れ曲がっていることで、この易変形部７１とパラペット本体３５との間が離間しており、支線２５により支持部材３１が引っ張られた場合に、易変形部７１が折れ曲がり角度が大きくなる向きで変形する。この場合、易変形部７１が引っ張り応力を吸収したことになり、その引っ張り応力により固定部６１が変形することを抑制できる。なお、図８（ａ）の構成は、易変形部７１が下方延出部６２の上端部分に配置されたものであると言うこともできる。
【００７８】
また、図８（ｂ）に示すように、易変形部７２が下方延出部６２の中間位置に設けられた構成とする。この構成では、下方延出部６２において、易変形部７２の上方部分はパラペット本体３５の側面に重ねられている一方で、易変形部７２の下方部分はパラペット本体３５の側面から離間している。また、易変形部７２は、複数の折れ曲がり部を有しており、全体として蛇行した形状になっている。この構成でも、易変形部７２が全体として延びる向きで各折れ曲がり部が変形することで引っ張り応力を吸収し、その引っ張り応力により固定部６１が変形することを抑制できる。
【００７９】
さらに、板材が折り曲げられることで支持部材３１が形成されている構成においては、その板材において、易変形部を形成する部分の厚み寸法が、固定部６１を形成する部分の厚み寸法より小さくされていてもよい。この場合でも、易変形部が固定部６１に比べて変形しやすい構成を実現できる。
【００８０】
いずれの構成においても、支持部材３１が応力吸収部を有していることで、固定部６１の変形が抑制されるため、固定具６５が防水シート４７を貫通している部分が固定部６１の変形によって露出することや、固定部６１の変形によって固定具６５が変位して防水シート４７が切れたり敗れたりすることが生じにくくなっている。したがって、パラペット本体３５において防水シート４７の防水性を適正に保つことができる。
【００８１】
（５）上記実施形態では、下方延出部６２がパラペット本体３５の側面に重ねられていたが、下方延出部６２は、パラペット本体３５から屋根内周側に離間していてもよい。
【００８２】
（６）上記実施形態では、固定部６１がパラペット本体３５の上端面に対して固定されていたが、固定部６１は、パラペット本体３５の側面に対して固定されていてもよい。例えば、固定部６１がパラペット本体３５の上端面と側面とに掛け渡された状態で設けられ、固定部６１においてパラペット本体３５の側面に重ねられた部分が、固定具６５によりパラペット本体３５の下地フレーム４５に対して固定された構成とする。この構成では、固定部６１の一部をパラペット本体３５の上端面に引っ掛けることが可能であるため、支持部材３１の高さ位置を設定することが容易である。
【００８３】
また、図９（ａ），（ｂ）に示すように、支持部材３１が断面Ｌ字状とされ、互いに交差する一対の板部のうち一方が下方延出部６２とされ、他方が側方延出部６３とされた構成とする。この構成では、下方延出部６２に固定孔６１ａが形成されており、固定具６５が固定孔６１ａを貫通してパラペット本体３５の側面（下地板４６）に打ち込まれている。この場合、下方延出部６２において、パラペット本体３５と笠木３６との間に入り込んだ部分（笠木３６の内側側面部３６ｃの下端より高い位置にある部分）が固定部に相当する。また、側方延出部６３に接続孔６７が形成されている。
【００８４】
この構成によれば、支線２５の張力により接続孔６７が支柱２３側に引っ張られた場合、図９（ａ）に仮想線に示すように、支持部材３１が弾性変形することで、下方延出部６２においては、その下端がパラペット本体３５から離れる向きで固定孔６１ａ（固定具６５の頭部）の下方位置から曲がることになる。接続孔６７は、壁厚み方向において、パラペット本体３５からの離間距離が笠木３６の内側側面部３６ｃより大きい位置に配置されており、支持部材３１や支線２５が笠木３６に接触しないようになっている。
【００８５】
（７）上記実施形態では、支持部材３１の固定部６１と笠木３６とが離間していたが、笠木３６は固定部６１に接触していてもよい。例えば、笠木３６の上面部３６ａが固定部６１の上面に重ねられた構成とする。この場合でも、笠木３６が下方延出部６２に接触していなければ、仮に支線２５の張力により下方延出部６２が弾性変形したとしても、その下方延出部６２や支線２５が笠木３６に接触することを回避できる。
【００８６】
（８）上記実施形態では、支持部材３１の接続孔６７に支線２５が接続されていたが、支持部材３１は、支線２５を接続可能な接続部を有していればよい。例えば、支持部材３１が、上方延出部６４の板面から支柱２３側に向けて突出した凸部を有しており、その凸部に支線２５が接続された構成とする。
【００８７】
（９）支持部材３１においては、固定部６１が弾性変形しない構成とされていてもよい。また、延出部６２〜６４も弾性変形しない構成とされていてもよい。この場合でも、延出部６２〜６４が弾性変形しないだけで、支線２５が笠木３６に接触しない構成を実現することはできる。
【００８８】
（１０）上記実施形態では、パラペット１５の厚み方向において、笠木３６の側面部３６ｂ，３６ｃがパラペット本体３５の側面に重なる位置に配置されていたが、笠木３６は、パラペット本体３５の側面に重ならない位置に配置されてもよい。つまり、笠木３６がパラペット本体３５の上端面よりも高い位置に配置されていてもよい。この場合でも、支持部材３１の固定部６１は、笠木３６とパラペット本体３５の上端面との間に入り込んだ状態で、パラペット本体３５に固定されていればよい。
【００８９】
（１１）上記実施形態では、支持部材３１の下方延出部６２が支柱２３側（パラペット本体３５の屋根内周側）に配置されていたが、下方延出部６２は、パラペット本体３５を挟んで支柱２３とは反対側に配置されていてもよい。この場合でも、上方延出部６４が笠木３６の外側側面部３６ｂの上端部よりも高い位置に突出しており、その突出部分に接続孔６７が設けられていることなどにより、支柱２３に対する支線２５の接続部分と接続孔６７とを結んだ仮想直線が笠木３６よりも高い位置に配置される構成を実現することが可能である。つまり、支線２５が笠木３６に接触しない構成を実現することが可能である。
【００９０】
（１２）上記実施形態では、支持部材３１と笠木ホルダ５１とがパラペット１５の幅方向に沿って横並びに配置されていたが、これら支持部材３１と笠木ホルダ５１とは、パラペット１５の厚み方向に並べて配置されていてもよい。例えば、パラペット１５の厚み方向において、パラペット１５の中心よりも支柱２３側に支持部材３１が配置され、中心よりも支柱２３とは反対側に笠木ホルダ５１が配置された構成とする。
【００９１】
（１３）支線２５を固定する支持部材３１は、パラペット１５でなくても、笠木３６を有する起立部であれば、手摺壁や間仕切壁、柱状の部材などに取り付けられていてもよい。また、起立部は、屋根１２ではなく、バルコニーやベランダなどに設けられていてもよく、この場合でも、起立部が、床面など防水性を有する防水面から上方に向けて起立していればよい。さらに、支線２５により支えられる支柱２３は、アンテナ支柱ではなく、太陽光発電装置において太陽パネルを支持する支柱や、貯水タンクを支持する支柱とされていてもよい。例えば、貯水タンクを支持する支柱がバルコニーに設けられ、バルコニーの手摺壁が笠木を有しており、支柱に接続された支線が手摺壁に取り付けられた構成とする。
【符号の説明】
【００９２】
１０…建物、１５…起立部としてのパラペット、２３…支柱、２５…支線、３１…支持部材、３５…起立部本体としてのパラペット本体、３６…笠木、３６ａ…上面部、３６ｃ…側面部としての内側側面部、５１…笠木ホルダ、６１…固定部、６２…保持部を構成する下方延出部、６３…保持部を構成する側方延出部、６４…保持部を構成する上方延出部、６７…接続部としての接続孔、７１…応力吸収部としての易変形部、７２…応力吸収部としての易変形部。
【図１】
2015137467.tif 000003
【図２】
2015137467.tif 000004
【図３】
2015137467.tif 000005
【図４】
2015137467.tif 000006
【図５】
2015137467.tif 000007
【図６】
2015137467.tif 000008
【図７】
2015137467.tif 000009
【図８】
2015137467.tif 000010
【図９】
2015137467.tif 000011